(57)【要約】【課題】  通知情報の控を容易にとることができ、かつ、通知情報を隠蔽できる隠蔽ハガキを提供するものである。【解決手段】  基紙の中央に設けられた折目線を介して、ハガキ本体片と隠蔽用紙片とが連接されている葉書において、ハガキ本体片は、基紙の下面には、発色剤層が形成されており、上面には接着剤層を介して、記入用紙が積層されており、ハガキ本体片の下面には、顕色剤層が形成された控え用紙が、顕色剤層の面を上にして、基紙の中央に設けられた折目線と対向するハガキ本体片の端辺に揃えて重ねられ、端辺で端部が接着されていると共に、隠蔽用紙片は基紙の上面に設けられた再剥離再貼付粘着剤層を介して、剥離紙が貼着されていることを特徴とする隠蔽ハガキ。【選択図】        図１
2006212892.tif 000002
【特許請求の範囲】
【請求項１】
基紙の中央に設けられた折目線を介して、ハガキ本体片と隠蔽用紙片とが連接されている葉書において、前記のハガキ本体片は、基紙の下面には、発色剤層が形成されており、上面には接着剤層を介して、記入用紙が積層されており、前記のハガキ本体片の下面には、顕色剤層が形成された控え用紙が、前記の顕色剤層の面を上にして、前記の基紙の中央に設けられた折目線と対向する前記のハガキ本体片の端辺に揃えて重ねられ、該辺で端部が接着されていると共に、前記の隠蔽用紙片は、基紙の上面に設けられた再剥離再貼付粘着剤層を介して、剥離紙が貼着されていることを特徴とする隠蔽ハガキ。
【請求項２】
前記の剥離紙が、前記の記入用紙と同材質であり、下面に剥離層が形成されていることを特徴とする請求項１に記載の隠蔽ハガキ。
【請求項３】
前記のハガキ本体片と前記の控え用紙とを剥離可能に貼合せることを特徴とする請求項１に記載の隠蔽ハガキ。
【請求項４】
前記隠蔽用紙片を構成する基紙の下面、および前記ハガキ本体片を構成する基紙の上面および／又は前記記入用紙の下面に、一部もしくは全面に印刷を施すことを特徴とする請求項１に記載の隠蔽ハガキ。
【請求項５】
前記の隠蔽用紙片の幅が前記のハガキ本体片の幅より短くすることを特徴とする請求項１に記載の隠蔽ハガキ。
【発明の詳細な説明】
【技術分野】
【０００１】
本発明は、記載された内容の秘密保持を可能とした隠蔽ハガキに関し、特に送付時に控え紙片を分離可能とした隠蔽ハガキに関するものである。
【背景技術】
【０００２】
従来の他人が通知情報を視認できないようにした隠蔽式の葉書としては、同サイズのハガキ本体片並びに隠蔽用紙片が折畳み可能に接合されており、前記ハガキ本体片の内面に所定事項を記入する記入欄が設定されていると共に、隠蔽用紙片の内面に再剥離粘着剤が塗布され、その表面に剥離紙が貼着されていることを特徴とする隠蔽式葉書等が実施されている（例えば、特許文献１参照）。一方、上紙片、中紙片、下紙片の３枚の葉書紙片を折り部を介して連接し、重ね合わせ面を剥離可能に接着してなる三つ折り葉書用シートであって、前記３枚の葉書紙片のうち少なくとも一紙片の端部に切取り部を介して控情報を記入するための控片を連接した隠蔽式葉書も知られている（例えば、特許文献２参照）。
【０００３】
しかしながら、上記の特許文献１記載の隠蔽式葉書では、控え片を備えていないため、通知情報の控えをとる場合には、別途、複写紙片を用意し、複写紙片を重ね合わせて複写記入したり、もしくはコピー等をとる必要があり面倒であるという問題がある。一方、上記の特許文献２記載の控え片付き葉書においては、記入した通知情報を控え片に転記を行う必要があり、面倒であるという問題がある。特に、例えば、通信販売の申込書に数量等を記入しなければならない場合があるが、ユーザーにとっては、うっかりして、控え片をとり忘れたり、あるいは控えをとるという煩わしさがある。
【特許文献１】特開平７−２１４９４７号公報
【特許文献２】特開平１０−１５１８８１号公報
【発明の開示】
【発明が解決しようとする課題】
【０００４】
本発明は、上記のような従来の問題点に鑑み、複写紙片やメモを別途用意したり、控え片に転記したりする煩わしさが解消され、また、控えのとり忘れもなく、通知情報の控えを容易にとることができる隠蔽ハガキを提供するものである。
【課題を解決するための手段】
【０００５】
上記課題を解決するために、請求項１記載の本発明は、基紙の中央に設けられた折目線を介して、ハガキ本体片と隠蔽用紙片とが連接されている葉書において、前記のハガキ本体片は、基紙の下面には、発色剤層が形成されており、上面には接着剤層を介して、記入用紙が積層されており、前記のハガキ本体片の下面には、顕色剤層が形成された控え用紙が、前記の顕色剤層の面を上にして、前記の基紙の中央に設けられた折目線と対向する前記のハガキ本体片の端辺に揃えて重ねられ、該辺で端部が接着されていると共に、前記の隠蔽用紙片は基紙の上面に設けられた再剥離再貼付粘着剤層を介して、剥離紙が貼着されていることを特徴とするものである。
【０００６】
また、請求項２記載の本発明は、前記の剥離紙が前記の記入用紙と同材質であり、下面に剥離層が形成されていることを特徴とするものである。
【０００７】
また、請求項３記載の本発明は、前記のハガキ本体片と前記の控え用紙とを剥離可能に貼合せることを特徴とするものである。
【０００８】
また、請求項４記載の本発明は、前記隠蔽用紙片を構成する基紙の下面、および前記ハガキ本体片を構成する基紙の上面および／又は前記記入用紙の下面に、一部もしくは全面に印刷を施すことを特徴とするものである。
【０００９】
また、請求項５記載の本発明は、前記の隠蔽用紙片の幅が前記のハガキ本体片の幅より短くすることを特徴とするものである。
【発明の効果】
【００１０】
請求項１に記載のように、基紙の中央に設けられた折目線を介して、ハガキ本体片と隠蔽用紙片とが連接されている葉書において、前記のハガキ本体片は、基紙の下面には、発色剤層が形成されており、上面には接着剤層を介して、記入用紙が積層されており、前記のハガキ本体片の下面には、顕色剤層が形成された控え用紙が、前記の顕色剤層の面を上にして、前記の基紙の中央に設けられた折目線と対向する前記のハガキ本体片の端辺に揃えて重ねられ、該辺で端部が接着されていると共に、前記の隠蔽用紙片は基紙の上面に設けられた再剥離再貼付粘着剤層を介して、剥離紙が貼着されていることにより、ユーザーは、前記の記入用紙に必要事項を記入すると、記入内容が前記のハガキ本体片の下面に重ねられている前記の控え用紙に複写され、該控え用紙をハガキ本体片から取外すと控えとでき、従来のような控えをとる煩わしさがなくなると共に控えのとり忘れも防止できるという効果を有する。
【００１１】
また、隠蔽用紙片の上面に貼着されている剥離紙を剥がし、折目線で折畳めば簡単に記入内容が隠蔽でき、請求項５に記載のように、隠蔽用紙片の幅がハガキ本体片の幅より短くすることにより受取人は再剥離が容易になるという効果を有する。
【００１２】
さらに、ユーザー直筆の記入情報が受信者に届くために、受信者に本物としての信頼度を高めるという効果がある。
【発明を実施するための最良の形態】
【００１３】
以下図面を用いて、本発明の実施形態について説明する。
（第一実施形態）
図１〜図４を用いて本発明の第一の実施形態について説明する。ここに、図１は、本発明の隠蔽ハガキの第一実施形態である口座振替依頼書を示す模式図、図２は、本発明の隠蔽ハガキの第一実施形態である口座振替依頼書の上面図、図３は、本発明の隠蔽ハガキの第一実施形態である口座振替依頼書の控え用紙側から見た模式図、図４は、図２のＡ−Ａ線断面図である。
【００１４】
本発明の隠蔽ハガキ１０は、下面に発色剤層１２が形成されてなる基紙１１（図４参照）の略中央に設けられたミシン目５０（折目線に対応）を介して、ハガキ本体片２０と該ハガキ本体片２０の幅より短い隠蔽用紙片３０とが折畳み可能に連接されている。
【００１５】
そして、ハガキ本体片２０は、下面に発色剤層１２が形成されてなる基紙１１と、該基紙１１の上面に設けられた接着剤層２１を介して、ハガキ本体片２０と略同サイズの記入用紙２２とが積層されて構成されており、前記記入用紙２２の上面には、所定事項記入欄２３設けられ、前記発色剤層１２の面には、金融機関等に送付する口座振替依頼書として使用するため、郵便番号欄２５や宛名欄２６（図３参照）が印刷されている。さらに、前記ハガキ本体片２０の下面には、顕色剤層４１が形成されてなる控え用紙４０が、ミシン目５０と対向するハガキ本体片２０の端辺に揃えて、且つ、前記顕色剤層４１の面を上面にして重ねられ、該辺で端部が接着剤５１（図４参照）で接着されている。前記顕色剤層４１の面には、前記所定事項記入欄２３に位置を合わせて、所定事項複写欄４２が印刷されている。該欄には、ハガキ本体片２０の上面に設けられた所定事項記入欄２３にユーザーが、ボールペン等の筆記具で記入すると、押圧で発色剤層１２の発色剤を内蔵するカプセルが壊れて、発色剤が滲み出して、顕色剤層４１の顕色剤と反応し必要事項が複写される。
【００１６】
また、隠蔽用紙片３０は、下面に発色剤層１２が形成されてなる基紙１１と、上面に設けられた再剥離再貼付粘着剤層３１を介して、剥離紙３２とが、該剥離紙３２に設けられた剥離層３３の面が再剥離再貼付粘着剤層３１に接するように貼付されて構成される。前記発色剤層１２の面には、第三者に記入された内容が透けて読み取られないように、例えば、地紋印刷３４（図３参照）等が一部もしくは全面に施されている。さらに、ハガキ本体片２０を構成する基紙１１の上面にも上記と同様に、第三者に記入された内容が透けて読み取られないように、例えば、地紋印刷等が一部もしくは全面に施されている。前記所定事項記入欄２３の記入内容が一部であれば、その部分が隠蔽できればよく、地紋印刷３４は一部でもよい。また、第三者に記入された内容が読み取られなければよく、地紋印刷に拘らず、ベタ柄印刷にすることもできる。また、地紋印刷３４等は記入用紙２２の下面に設けてもよい。さらに、前記剥離紙３２の表面には、記入例や隠蔽方法及び控えの利用方法等のユーザーへの情報が印刷されていることが望ましい。
【００１７】
また、隠蔽用紙片３０の幅がハガキ本体片２０の幅より短くされていることにより、ユーザーから送信された隠蔽ハガキ１０を受け取った受取人が、簡単に隠蔽用紙片３０を再剥離でき、開封動作が容易となる。
【００１８】
次に、図４を参照して、本発明の隠蔽ハガキ１０の各層に使用される材料を説明する。まず、基紙１１には上質紙、カード紙、コート紙、クレーコート紙、板紙、コートボール紙、合成紙等が使用できる。さらに、該基紙１１の下面にグラビアコート等の公知の手法で発色剤層１２が設けられている。次に、剥離紙３２には上質紙、クラフト紙、コート紙、グラシン紙等が使用でき、さらに、少なくとも前記再剥離再貼付粘着剤層３１と接する側の面にシリコン系あるいはアクリル系樹脂等が印刷あるいはコートされてなる剥離層３３が設けられている。また、記入用紙２２には上質紙、薄葉紙等が使用でき、上面には、預金者名、金融機関名、口座番号等の所定事項記入欄２３が印刷され下面は、酢酸ビニル系や合成ゴム系等の合成樹脂エマルジョンタイプ、あるいはポバール、デキストリン、にかわ等の再湿タイプの接着剤が用いられる接着剤層２１を介して、基紙１１の上面と接着されている。なお、基紙１１と記入用紙２２は、貼り合わされた状態でハガキ本体片２０を構成するため、貼り合わされた状態で日本郵政公社が郵便法の規定に基づき定める「内国郵便約款」の範囲で任意に選定することができる。さらに、控え用紙４０には上質紙、薄葉紙等が使用でき、上面にはグラビアコート等の公知の手法で顕色剤層４１が設けられ、端辺が、酢酸ビニル系や合成ゴム系等の合成樹脂エマルジョンタイプ、あるいはポバール、デキストリン、にかわ等の再湿タイプからなる接着剤５１でハガキ本体片２０の端辺に揃えて接着されている。なお、前記の基紙１１及び控え用紙４０には、既製のノーカーボン用紙を用いてもよい。また、隠蔽用紙片３０において、基紙１１の上面に設けられた再剥離再貼付粘着剤層３１に用いられる再剥離再貼付粘着剤は、密着面の密着及び再剥離を容易にするように調整されており、バインダー成分と粘着性微球成分等が混合されている。バインダー成分は、アクリルエマルジョン型粘着剤等が用いられ、粘着性微球成分には、大きさが１０〜１５０μｍの微粒子状でメタアクリル酸エステル等の材質が使用される。
【００１９】
（第二実施形態）
次に図５を参照して本発明の第二の実施形態について説明する。図５は第二実施形態に関する図２のＡ−Ａ線断面図に相当する断面図である。剥離紙３２ａに記入用紙２２と同材質を使用し、剥離紙３２ａの下面に剥離層３３ａを設けている。上記以外は第一の実施形態と同じ構成である。これは基紙１１と略同幅の、記入用紙を用いて、下面に、一端より隠蔽用紙片３０と同じ幅の部分に剥離層３３ａを設け、他の一端から記入用紙２２と同じ幅の部分の上面に所定事項記入欄２３が印刷され、その後、剥離紙３２ａと記入用紙２２にスリットすればよい。上述のように、剥離紙３２ａと記入用紙２２とは同材質であるために、剥離紙３２ａと記入用紙２２の製造工程がインラインにでき、工程の省略化、簡略化が図れるものである。さらに、接着剤層５１ａには接着力の弱い接着剤を使用してもよく、控え用紙４０が、ハガキ本体片２０から容易に引き剥がすことができ、好都合である。
【００２０】
次に図１、図６及び図７を参照しながら本発明の隠蔽ハガキ１０の使用方法を説明する。図６と図７は、本発明の隠蔽ハガキ１０の一実施形態である口座振替依頼書の使用法を説明する図である。まず、図１に示すように、ユーザーは、金融機関等から隠蔽ハガキ１０を持ち帰り、見開き状態にして、ハガキ本体片２０の上面に設けられた所定事項記入欄２３に必要事項をボールペン等の筆記具で記入し、記入後、記入内容を確認し、捺印欄に届出印を捺印する。そして、控え用紙４０の上面に設けられた所定事項複写欄４２に複写された複写事項を確認し、控え用紙４０をハガキ本体片２０から引き剥がし、控えとして保管する。
【００２１】
その後、剥離紙３２を剥がして、図６に示すように隠蔽用紙片３０に塗布されている再剥離再貼付粘着剤層３１を露出させて、ミシン目５０で二つ折りにし、再剥離再貼付粘着剤３１の面とハガキ本体片２０の上面に設けられた所定事項記入欄２３の面とを接着することにより、記入事項が隠蔽される。そして、単体葉書として投函すればよい。
【００２２】
さらに、ユーザーから送られてきた葉書について、金融機関等においては、ハガキ本体片２０と隠蔽用紙片３０とを剥がして見開き状態にした後、図７に示すようにハガキ本体片２０と隠蔽用紙片３０とをミシン目５０に沿って切りはなす。その後、ハガキ本体片２０は金融機関等で所定の手順に従い運用される。なお、ミシン目５０は折罫等の折目線であってもよい。
【産業上の利用可能性】
【００２３】
口座振替依頼書、通信販売申込書等の親展通知情報を伴う通信媒体に利用できる。
【図面の簡単な説明】
【００２４】
【図１】本発明の隠蔽ハガキの第一実施形態である口座振替依頼書を示す模式図。
【図２】本発明の隠蔽ハガキの第一実施形態である口座振替依頼書の上面図。
【図３】本発明の隠蔽ハガキの第一実施形態である口座振替依頼書の控え用紙側から見た模式図。
【図４】図２のＡ−Ａ線断面図。
【図５】第二実施形態を示す図２のＡ−Ａ線断面図。
【図６】隠蔽ハガキにおけるハガキ本体片と隠蔽用紙片とを接着させる状態を示す説明図。
【図７】隠蔽ハガキにおけるハガキ本体片と隠蔽用紙片とを切離す状態を示す説明図。
【符号の説明】
【００２５】
１０                                    隠蔽ハガキ
１１                                    基紙
１２                                    発色剤層
２０                                    ハガキ本体片
２１                                    接着剤層
２２                                    記入用紙
２３                                    所定事項記入欄
２５                                    郵便番号欄
２６                                    宛名欄
３０                                    隠蔽用紙片
３１                                    再剥離再貼付粘着剤
３２、３２ａ                            剥離紙
３３、３３ａ                            剥離層
３４                                    地紋印刷
４０                                    控え用紙
４１                                    顕色剤層
４２                                    所定事項複写欄
５０                                    ミシン目
５１、５１ａ                            接着剤
【図１】
2006212892.tif 000003
【図２】
2006212892.tif 000004
【図３】
2006212892.tif 000005
【図４】
2006212892.tif 000006
【図５】
2006212892.tif 000007
【図６】
2006212892.tif 000008
【図７】
2006212892.tif 000009